(57)【特許請求の範囲】
【請求項１】
使用者の頭部に装着される支持部と、
前記支持部の一端側に設けられ、前記支持部の前記頭部への装着状態で使用者から見て左・右方向の一方側に位置して、前記左・右方向の一方側から前記左・右方向の他方側へ向かう風を吹き出し可能な第１ファンユニットと、
前記支持部の他端側に設けられ、前記装着状態で前記左・右方向の他方側に位置して、左・右方向の一方側からの風を吸込み可能な第２ファンユニットと、
を有し、
前記第１ファンユニットから前記第２ファンユニットまで前記左・右方向に流れる空気流により前記使用者の顔面の前部に空気カーテンを形成する
顔面空気カーテン生成装置において、
前記第１ファンユニットは、
第１ケーシングと、前記第１ケーシング内に設けられた送風ファン及び前記送風ファンを駆動する第１駆動モータと、前記送風ファンにより誘起される空気流を前記第１ケーシングの内外へ流通させる第１流通口と、を有し、
前記第２ファンユニットは、
第２ケーシングと、前記第２ケーシング内に設けられた吸引ファン及び前記吸引ファンを駆動する第２駆動モータと、前記吸引ファンにより誘起される空気流を前記第２ケーシングの内外へ流通させる第２流通口と、を有し、
かつ、
前記顔面空気カーテン生成装置は、
前記第１駆動モータ及び前記第２駆動モータを第１方向及びその逆の第２方向のいずれにも選択的に回転可能な制御部をさらに有し、
前記制御部は、
前記第１駆動モータを前記第１方向に駆動し前記第２駆動モータを前記第２方向に駆動することにより、前記第１ファンユニットから前記第２ファンユニットへと流れる第１空気流を生成する第１モードと、
前記第１駆動モータを前記第２方向に駆動し前記第２駆動モータを前記第１方向に駆動することにより、前記第２ファンユニットから前記第１ファンユニットへと流れる第２空気流を生成する第２モードと、
を備え、
前記第１モード及び前記第２モードを所定周期にて交互に繰り返す
ことを特徴とする顔面空気カーテン生成装置。
【請求項２】
請求項１記載の顔面空気カーテン生成装置において、
前記第１ケーシングは、
前記装着状態において前記使用者から見て前記第１ファンユニットの外方側に隣接する略円形の第１開口部をさらに備え、
前記第１流通口は、
前記装着状態において前記使用者から見て前記第１ケーシングの内方側に配置されており、
前記第２ケーシングは、
前記装着状態において前記使用者から見て前記第２ファンユニットの外方側に隣接する略円形の第１開口部をさらに備え、
前記第２流通口は、
前記装着状態において前記使用者から見て前記第２ケーシングの内方側に配置されている
ことを特徴とする顔面空気カーテン生成装置。
【請求項３】
請求項２記載の顔面空気カーテン生成装置において、
前記支持部と前記第１ファンユニットとを、当該支持部に対する当該第１ファンユニットの姿勢を変更可能に連結する第１可変ジョイント部と、
前記支持部と前記第２ファンユニットとを、当該支持部に対する当該第２ファンユニットの姿勢を変更可能に連結する第２可変ジョイント部と、
をさらに有することを特徴とする顔面空気カーテン生成装置。
【請求項４】
請求項１乃至請求項３のいずれか１項記載の顔面空気カーテン生成装置において、
前記制御部は、さらに、
前記第１駆動モータを前記第１方向に駆動し前記第２駆動モータを前記第１方向に駆動することにより、前記第１ファンユニットから吹き出された空気流と前記第２ファンユニットから吹き出された空気流とを合流させて前方側へと押し出す第３空気流を生成する第３モードを備える
ことを特徴とする顔面空気カーテン生成装置。
【発明の詳細な説明】
【技術分野】
【０００１】
本発明は、顔面空気カーテン生成装置に関する。
【背景技術】
【０００２】
従来、ウイルスの伝染の予防の観点から、顔の一部の口、鼻を、布や不織布
で覆うマスク等でウイルスの伝染予防を行っていたが、飲食をする際には布や不織布製のマスクは外さねばならず、その間は、口や鼻が無防備となり、ウイルスを吸引するリスクが高くなっていた。又、複数人で会食する際には、マスクをずらし飲食をし、会話をする際にはマスクをする事を繰り返さなければならず面倒であった。又、ともすればマスクをせず会話をすることさえあった。
このため、従来、ウイルスの伝染の予防の観点から、人の顔先にエアー・カーテンを作り、人の顔先から胸元にかけての空間を外気から遮断する帽子が知られている（例えば、特許文献１参照）。この従来技術には、使用者が、頭部から腰部分にかけて種々の装置を装着し、頭部に装着した帽子から空気を斜め下方向へ吐き出させてエアー・カーテンを作るとともに、エアー・カーテンの内側で、別途空気を下方向へ吐き出させ、その排気を胸元の吸気箱から吸い込ませて、頭部から腰部分にかけて装着した種々の装置の内部で空気を循環させる構成が記載されている。
【先行技術文献】
【特許文献】
【０００３】
【特許文献１】登録実案第３２３１８７４号公報
【発明の概要】
【発明が解決しようとする課題】
【０００４】
上記従来技術の帽子を含むデバイスでは、使用者が、頭頂部から下半身に至るまでの箇所に種々の装置を装着しなければならず、非常に煩雑である。また、空気を吸い込むためのブロワが腰部の側部に固定されている。そのため、使用者の顔から胸元にかけての空間に外気が入り込むことを大幅に抑え、使用者の口から出る息や唾が外部に出ることも大幅に抑えるためには、このデバイスが使用者に装着された場合に、使用者は首の動きを含む身体の動作が非常に制限される。
また、帽子を含むデバイスを頭頂部に装着した場合には、頭頂部にデバイス重量が加わり、デバイスを保持するには、首、頭に負担がかかることが想定され、筋力が弱い高齢者や女性が長時間の装着することが難しいと思われた。
【０００５】
本発明の目的は、使用者が簡易に装着可能であり、装着時及び／又は使用時に比較的高い機能性も備え得る、顔面空気カーテン生成装置を提供することにある。
【課題を解決するための手段】
【０００６】
上記目的を達成するために、本願発明は、使用者の頭部に装着される支持部と、前記支持部の一端側に設けられ、前記支持部の前記頭部への装着状態で使用者から見て左・右方向の一方側に位置して、前記左・右方向の一方側から前記左・右方向の他方側へ向かう風を吹き出し可能な第１ファンユニットと、前記支持部の他端側に設けられ、前記装着状態で前記左・右方向の他方側に位置して、左・右方向の一方側からの風を吸込み可能な第２ファンユニットと、を有し、前記第１ファンユニットから前記第２ファンユニットまで前記左・右方向に流れる空気流により前記使用者の顔面の前部に空気カーテンを形成する顔面空気カーテン生成装置において、前記第１ファンユニットは、第１ケーシングと、前記第１ケーシング内に設けられた送風ファン及び前記送風ファンを駆動する第１駆動モータと、前記送風ファンにより誘起される空気流を前記第１ケーシングの内外へ流通させる第１流通口と、を有し、前記第２ファンユニットは、第２ケーシングと、前記第２ケーシング内に設けられた吸引ファン及び前記吸引ファンを駆動する第２駆動モータと、前記吸引ファンにより誘起される空気流を前記第２ケーシングの内外へ流通させる第２流通口と、を有し、かつ、前記顔面空気カーテン生成装置は、前記第１駆動モータ及び前記第２駆動モータを第１方向及びその逆の第２方向のいずれにも選択的に回転可能な制御部をさらに有し、前記制御部は、前記第１駆動モータを前記第１方向に駆動し前記第２駆動モータを前記第２方向に駆動することにより、前記第１ファンユニットから前記第２ファンユニットへと流れる第１空気流を生成する第１モードと、前記第１駆動モータを前記第２方向に駆動し前記第２駆動モータを前記第１方向に駆動することにより、前記第２ファンユニットから前記第１ファンユニットへと流れる第２空気流を生成する第２モードと、を備え、前記第１モード及び前記第２モードを所定周期にて交互に繰り返す。
【０００７】
本発明においては、鉛直方向ではなく水平方向側に空気流を生じさせることができるため、横開きした口への飛沫の取り込みを防止しやすくなる。また、使用者の首を含む頭部への装着により使用可能であるため、容易に使用することができる。また、使用者の顔先付近で空気流を生じさせることができるため、比較的、使用者の行動の自由度も制限されにくい。また、使用者の顔先に配置されることになる第１ファンユニット及び第２ファンユニットの間に空気流が生じるため、使用者の口や鼻から排出される息や唾等の顔先方向への飛散を、効率的に防止することができる。
また、デバイス一式を首元で位置決めし肩／胸で保持する事により、首頭部に大きな負担がかかることなく筋力が弱い高齢者や女性が長時間の装着することが可能となる。
また、生じた空気流の外側からの使用者の口や鼻へのエアロゾル等の飛散も、効率的に防止することができる。
【発明の効果】
【０００８】
本発明によれば、使用者が簡易に装着可能であり、装着時及び／又は使用時に比較的高い機能性も備え得る、顔面空気カーテン生成装置を提供することができる。
【図面の簡単な説明】
【０００９】
【図１】本実施の形態に係る顔面空気カーテン生成装置の概略斜視図である。
【図２】本実施の形態に係る顔面空気カーテン生成装置の構成を表す概略ブロック図である。
【図３】（Ａ）本実施の形態に係る顔面空気カーテン生成装置が空気流を生じさせている状態を概念的に表す概略斜視図であり、（Ｂ）使用者が顔面空気カーテン生成装置を装着した形態を表す概略側面図であり、（Ｃ）使用者が顔面空気カーテン生成装置を装着した状態で、空気流を生じさせている状態を概念的に表す概略正面図である。
【図４】（Ａ）本実施の形態に係る顔面空気カーテン生成装置が備える第１ファンユニットの、外部空間方向側からの平面形態を表す概略側面図であり、（Ｂ）本実施の形態に係る顔面空気カーテン生成装置が備える第１ファンユニットの、内部空間方向側からの平面形態を表す概略側面図であり、（Ｃ）本実施の形態に係る顔面空気カーテン生成装置が備えるファンの平面形態を表す概略図である。
【図５】（Ａ）本実施の形態に係る顔面空気カーテン生成装置が備える第２ファンユニットの、内部空間方向側からの平面形態を表す概略側面図であり、（Ｂ）本実施の形態に係る顔面空気カーテン生成装置が備える第２ファンユニットの、外部空間方向側からの平面形態を表す概略側面図である。
【図６】シロッコファンを用いる変形例における、当該シロッコファンの構成を表す概略図である。
【図７】フィルターカバーを設ける変形例における、当該フィルターカバーの構成を表す概略図である。
【図８】ホルダーを設ける変形例を表す概略斜視図である。
【発明を実施するための形態】
【００１０】
以下、本発明の一実施形態を、図面を参照して説明する。なお、理解を容易にするために、本実施の形態に係る顔面空気カーテン生成装置１の第１ケーブル部１３及び第２ケーブル部１５の長さ方向をＹ軸方向、第１ファンユニット１０及び第２ファンユニット２０の対向方向をＸ軸方向、Ｙ軸方向とＸ軸方向に垂直な方向をＺ軸方向とするＸＹＺ直交座標を設定する。また、本明細書において、「回転」は回動も意味する。また、「頭部」は、頸部を含む首、耳、顔、それぞれの少なくとも一部の部位をも含む。また、「顔面」は、顔先を含み、「カーテン」は、顔先に形成される空気流の軌跡を含む。また、図面に表される顔面空気カーテン生成装置１を形成する部材のサイズ、個数等は便宜的に示しているものである。
【００１１】
＜顔面空気カーテン生成装置１＞
まず、顔面空気カーテン生成装置１について説明する。図１〜図３（Ａ）乃至（Ｃ）に示すように、顔面空気カーテン生成装置１は、長手軸を有する板状部材１１と、板状部材１１の一端部１２と、一端部で接続する第１ケーブル部１３と、板状部材１１の他端部１４と一端部で接続する第２ケーブル部１５と、を備える支持部１６と、第１ケーブル部１３の他端部に接続し、第２ケーブル部１５側の方向に向けて送風可能な第１ファンユニット１０と、第２ケーブル部１５の他端部に接続し、第１ケーブル部１３から送られる風を吸引可能な第２ファンユニット２０と、を備える。
【００１２】
支持部１６は、長手軸を有する板状の部材であり、長手軸に沿って湾曲している板状部材１１と、板状部材１１の両端部にそれぞれ接続する第１ケーブル部１３及び第２ケーブル部１５を有する部材である。長手軸に沿った板状部材１１の曲率は、顔面空気カーテン生成装置１の使用者の首、特に背部側の首の周方向の曲率と同一又は使用者の首の周方向の曲率よりも小さい。また、板状部材１１の長手軸方向の長さは使用者の首の外径よりも長い。
【００１３】
板状部材１１には、顔面空気カーテン生成装置１を駆動するための電池が着脱可能に内蔵されている。板状部材１１は、この電池を内蔵可能な程度の寸法を有する。
【００１４】
板状部材１１には、顔面空気カーテン生成装置１の制御を行う制御部１７が内蔵されている。制御部１７は、顔面空気カーテン生成装置１に含まれるファンの回転数、回転方向及び回転速度の少なくとも１つを制御し、顔面空気カーテン生成装置１の駆動を制御する。
【００１５】
板状部材１１の長手軸方向の一端部１２には、第１ケーブル部１３がその一端部で接続している。また、板状部材１１の長手軸方向の他端部１４には、第２ケーブル部１５がその一端部で接続している。板状部材１１、第１ケーブル部１３及び第２ケーブル部１５により形成される支持部１６は、双曲線を含む二次曲線状の曲線形状を有する。このような構成により、板状部材１１を基点にして支持部１６を使用者に首掛けすることができ、使用者の首から前胸部にかけて顔面空気カーテン生成装置１を配置させることができる。
【００１６】
第１ケーブル部１３は、制御部１７を介して後述する送風ファン１８を駆動させるケーブル（不図示）と、ケーブルを被覆する管状部１９と、により形成される部材であり、可塑性を有する部材である。
【００１７】
第１ケーブル部１３は、その一端部で板状部材１１の一端部１２に接続し、他端部で第１ファンユニット１０の送風ファン１８に接続する。また、板状部材１１の一端部１２に接続する第１ケーブル部１３の一端部の近傍の部分は蛇腹状に形成されている。これにより、第１ケーブル部１３の長さ、形状等を調節することが可能になり、第１ケーブル部１３が可塑性を有することから、調節した長さ及び形態をキープすることも可能になる。
【００１８】
また、送風ファン１８に接続する第１ケーブル部１３の他端部の近傍の部分も蛇腹状に形成されている（第１可変ジョイント部１３ａ）。これにより、送風ファン１８の近傍の第１ケーブル部１３の配置、形態等を調節することが可能になり、第１ケーブル部１３が可塑性を有することから、調整した第１ケーブル部１３の形態等をキープすることが可能になる。
【００１９】
また、送風ファン１８に接続する第１ケーブル部１３の他端部は、送風ファン１８の筐体１８ａ（第１ケーシング）に対して周方向に移動可能に接続するジョイント部（第１可変ジョイント部１３ａ）を有する。これにより、送風ファン１８を基点として送風塔１８ｂを回動させることができるため、空気カーテンの形成個所を適宜調節することができる。
【００２０】
第１ケーブル部１３にはスイッチ１３ｂが設けられており、板状部材１１に内蔵されている制御部１７を駆動するトリガーとして機能し、送風ファン１８の駆動を制御する。なお、第１ケーブル部１３の全長は、使用者の顔先からその反対側の後頭部にかけての径方向の長さよりも長い。
【００２１】
図４（Ａ）〜（Ｃ）に示すように、第１ファンユニット１０は、装着状態において使用者から見て右側に位置する。また、第１ファンユニット１０は、ファン１８ｃとファン１８ｃを格納する筐体１８ａ（第１ケーシング）と、により形成される送風ファン１８と、送風ファン１８に接続し、複数の送風孔１８ｄが形成された中空の棒状部材により形成される送風塔１８ｂと、を備える部材である。なお、図１、図４（Ａ）、図５（Ｂ）（後述の図７及び図８も同様）では、それぞれ回転軸１８ｅ及び回転軸２１ａが回転している送風ファン１８及び吸引ファン２１を表しているため、羽根部１８ｆが湾曲している。
【００２２】
送風ファン１８は、風を発生させるための部材であり、回転軸１８ｅの側面に複数の羽根部１８ｆを備えるファン１８ｃと、ファン１８ｃを格納し、第１開口部１８ｈ及び第２開口部１８ｉが形成されている筐体１８ａと、を備える。
【００２３】
送風ファン１８の回転軸１８ｅには、回転軸１８ｅを駆動する第１駆動モータ１８ｇが接続しており、板状部材１１に内蔵されている制御部１７により駆動する。
【００２４】
ファン１８ｃは、棒状の回転軸１８ｅの側面に、等間隔かつ周方向に複数の羽根部１８ｆを設けられたプロペラ状（スクリュー状）の部材である。なお、本実施の形態においては、回転軸１８ｅの側面に、６枚のファン１８ｃが６０°回転対称に設けられている。
【００２５】
羽根部１８ｆは、複数のブレードにより形成される部材であり、それぞれの羽根部１８ｆの形状は、同一又は略同一である。
【００２６】
筐体１８ａ（第１ケーシング）は、ファン１８ｃを格納可能な寸法を有する箱状の部材である。第１ケーブル部１３の他端部に第１ファンユニット１０を接続した場合、第２ケーブル部１５の他端部に接続された第２ファンユニット２０との対向方向とは逆方向側（顔面空気カーテン生成装置１により規定される外部空間方向）の筐体１８ａの面の一部に、環状又は略環状の第１開口部１８ｈが形成されている。
【００２７】
筐体１８ａの内部にファン１８ｃが格納された場合、回転軸１８ｅの一端は第１開口部１８ｈに向かって延伸する形態で配置される。また、筐体１８ａの周方向の側面の一部には第２開口部１８ｉが形成されており、後述の送風塔１８ｂの第３開口部１８ｊと接続する。
【００２８】
送風塔１８ｂは、長手軸を有する部材であり、第３開口部１８ｊを一端に有し、複数の送風孔１８ｄが形成された中空の棒状部材を備える部材である。
【００２９】
送風塔１８ｂは、第３開口部１８ｊで前述した送風ファン１８と接続しており、送風ファン１８から送られる風（第１空気流）は送風塔１８ｂの内部を移動することができる。なお、送風塔１８ｂの全長は、顔面空気カーテン生成装置１を使用者が装着した状態において、使用者の頭頂部から、送風塔１８ｂと送風ファン１８との接続端までの直線の長さの中で、本発明の効果を奏する範囲で任意に設定できる。
【００３０】
また、送風塔１８ｂは、長手軸を有する部材であり、複数の送風孔１８ｄを有する。送風孔１８ｄ（第１流通口）は、棒状部材の長手軸に沿って直線状又は略直線状に等間隔又は略等間隔に配列しており、本実施の形態では、１０個の送風孔１８ｄが形成されている。
【００３１】
送風孔１８ｄは、支持部１６の他端部側の方向に向けて送風可能に、送風塔１８ｂに形成されている。すなわち、送風孔１８ｄは、顔面空気カーテン生成装置１により規定される内部空間方向に向けて、送風塔１８ｂに形成されている。
【００３２】
図５（Ａ）及び（Ｂ）に示すように、第２ファンユニット２０は、第１ファンユニット１０と同一又は略同一の外形形状を有する部材であり、第２ケーブル部１５の他端部に接続する部材である。そのため、吸引ファン２１は、回転軸２１ａの側面に複数の羽根部２１ｂを備えるファン２１ｃと、ファン２１ｃを格納する筐体２１ｆと、を備える。また、吸引ファン２１に接続する第２ケーブル部１５の他端部の近傍の部分も蛇腹状に形成されている（第２可変ジョイント部１５ａ）。これにより、吸引ファン２１の近傍の第２ケーブル部１５の配置、形態等を調節することが可能になり、第２ケーブル部１５が可塑性を有することから、調整した第２ケーブル部１５の形態等をキープすることが可能になる。
【００３３】
第２ファンユニット２０の吸引ファン２１は、第１ファンユニット１０から第２ファンユニット２０側に送られる風を吸引する機能を発揮させるための部材であり、送風ファン１８と対向して配置される。そのため、第２ファンユニット２０は、装着状態において使用者から見て左側に位置することとなる。また、第１ファンユニット１０及び第２ファンユニット２０が対向して配置された形態において、吸引ファン２１の回転軸２１ａは、送風ファン１８の回転軸１８ｅの回転方向（第１方向）と逆方向に回転をする（第２方向）。なお、吸引ファン２１の回転軸２１ａには、回転軸２１ａを駆動する第２駆動モータ２１ｇが接続しており、板状部材１１に内蔵されている制御部１７により駆動する。
【００３４】
また、第２ファンユニット２０の吸引塔２１ｄ及び吸引孔２１ｅ（第２流通口）は第１ファンユニット１０から送られる風を吸引し、第１ファンユニット１０の送風塔１８ｂ及び送風孔１８ｄとそれぞれ対向して配置される。すなわち、第２ファンユニット２０を第２ケーブル部１５に接続させた場合、第１ファンユニット１０の直線状又は略直線状に配列する送風孔１８ｄと、第２ファンユニット２０の直線状又は略直線状に配列する吸引孔２１ｅと、は互いにそれぞれ対向又は略対向して配置される。そのため、第１ファンユニット１０と第２ファンユニット２０とは、支持部１６を基点として鏡像体様又は略鏡像体様に配置されている。なお、吸引ファン２１の筐体２１ｆ（第２ケーシング）は、送風ファン１８の筐体１８ａ（第１ケーシング）に対応する。
【００３５】
＜顔面空気カーテン生成装置１の使用方法＞
次に、顔面空気カーテン生成装置１の使用方法について説明する。
まず、図３（Ｂ）及び（Ｃ）に示すように、使用者は、顔面空気カーテン生成装置１の支持部１６を首に掛ける。このとき、少なくとも、第１ファンユニット１０の送風ファン１８及び第２ファンユニット２０の吸引ファン２１の一部、並びに支持部１６を形成する第１ケーブル部１３及び第２ケーブル部１５の一部が、使用者の首（頸部）から、前胸部及び／又は心窩部の近傍に当接する。
【００３６】
また、顔面空気カーテン生成装置１が使用者に装着された状態では、第１ファンユニット１０の送風塔１８ｂ及び第２ファンユニット２０の吸引塔２１ｄは、使用者の前胸部から前方向（Ｚ軸方向側）に延在している。
【００３７】
そして、使用者は、送風塔１８ｂ及び吸引塔２１ｄの位置を、顔先の所望する位置・角度に適宜調節する。
【００３８】
次に、使用者は第１ケーブル部１３及び第２ケーブル部１５を適宜調整し、第１ケーブル部１３及び第２ケーブル部１５の位置、形態等を適宜調節する。
【００３９】
そして、使用者は、第１ケーブル部１３及び第２ケーブル部１５に設けられる少なくとも一方のスイッチ１３ｂをプッシュし、制御部１７に駆動指示を送る。これにより、送風ファン１８により発生した風が、送風塔１８ｂの送風孔１８ｄから第２ファンユニット２０の吸引塔２１ｄ側に向けて噴出する。
【００４０】
送風ファン１８の送風孔１８ｄから噴出された風は、吸引孔２１ｅから吸引塔２１ｄの内部に移動し、吸引ファン２１の第１開口部２１ｈから顔面空気カーテン生成装置１の機外に排風される。
【００４１】
このような風の流れにより、使用者の顔先には、ＸＹＺ軸方向にそれぞれ所定の厚みを有する空気流が形成される。
【００４２】
顔面空気カーテン生成装置１の駆動を停止させる場合には、使用者は、ケーブル部のスイッチ１３ｂを再度プッシュし、制御部１７に停止指示を送ることにより、送風ファン１８の回転軸１８ｅの回転を停止させる。また、吸引ファン２１の回転軸２１ａの回転も停止させる。これにより、顔面空気カーテン生成装置１の使用は終了する。
【００４３】
＜本実施形態の効果＞
以上説明したように、本実施形態によれば、第１ファンユニット１０のファンを送風ファン１８とし、第２ファンユニット２０のファンを吸引ファン２１として左右方向に空気流を生成するので、上→下方向に空気流を生成する場合のように横に細長く開かれることが多い口からエアロゾルを含む飛沫が入り込む恐れが少なく、また下→上方向に空気流を生成する場合のように鼻から飛沫が入り込む恐れも少ない。また、左右それぞれにファンユニットを設け一方から吹き出して他方から吸い込む構造とする。すなわち吹き出し側にも吸い込み側にもファンによる回転駆動力が作用することにより、吹き出し側のみに動力が与えられる構造に比べて、強力な空気流を生成することができる。
【００４４】
また、本実施形態では特に、第１ファンユニット１０が筐体１８ａ（第１ケーシング）と、第１ケーシング内に設けられた送風ファン１８及び送風ファン１８を駆動する第１駆動モータ１８ｇと、送風ファン１８により誘起される空気流２８を第１ケーシングの内外へ流通させる送風孔１８ｄ（第１流通口）と、を有する。また、第２ファンユニット２０が筐体２１ｆ（第２ケーシング）と、第２ケーシング内に設けられた吸引ファン２１及び吸引ファン２１を駆動する第２駆動モータ２１ｇと、吸引ファン２１により誘起される空気流２８を第２ケーシングの内外へ流通させる吸引孔２１ｅ（第２流通口）と、を有する。これにより、第１駆動モータ１８ｇにより駆動される送風ファン１８により送風孔１８ｄ（第１流通口）から吹き出させる空気流２８を誘起するとともに、第２駆動モータ２１ｇにより駆動される吸引ファン２１により吸引孔２１ｅ（第２流通口）から吸い込まれる空気流２８を誘起して、第１ファンユニット１０から第２ファンユニット２０までの空気流２８を円滑に生成することができる。
【００４５】
また、本実施形態では特に、筐体１８ａ（第１ケーシング）が装着状態において使用者から見て第１ファンユニット１０の外方側に隣接する略円形の第１開口部１８ｈをさらに備える。また、送風孔１８ｄ（第１流通口）は、装着状態において使用者から見て筐体１８ａ（第１ケーシング）の内方側に配置されている。また、筐体２１ｆ（第２ケーシング）は、装着状態において使用者から見て第２ファンユニット２０の外方側に隣接する略円形の第１開口部２１ｈをさらに備えている。また、吸引孔２１ｅ（第２流通口）は、装着状態において使用者から見て筐体２１ｆ（第２ケーシング）の内方側に配置されている。これにより、送風ファン１８の回転により外方側の第１開口部１８ｈから取り込んだ空気を内方側の送風孔１８ｄ（第１流通口）から吹き出させ、吸引ファン２１の回転により内方側の吸引孔２１ｅ（第２流通口）から吸い込んだ空気を外方側の第１開口部２１ｈから排出することで、第１ファンユニット１０から第２ファンユニット２０までの空気流２８を円滑に生成することができる。
【００４６】
また、本実施形態では特に、支持部１６と第１ファンユニット１０とを、支持部１６に対する第１ファンユニット１０の姿勢を変更可能に連結する第１可変ジョイント部１３ａを有する。また、支持部１６と第２ファンユニット２０とを、支持部１６に対する第２ファンユニット２０の姿勢を変更可能に連結する第２可変ジョイント部１５ａを有する。これにより、第１及び第２可変ジョイント部１３ａ、１５ａにより第１ファンユニット１０及び第２ファンユニット２０の位置や向きを適宜に調整することで、空気流２８（空気カーテン）の生成位置を所望に設定することができる。
【００４７】
また、本実施の形態に係る顔面空気カーテン生成装置１は、着衣の外面に装着する必要はなく、使用者の首に掛けて使用することができるため、装着時及び／又は使用時における審美性も備え得る。
【００４８】
＜変形例＞
なお、本発明は、上記実施形態に限られるものではなく、その趣旨及び技術的思想を逸脱しない範囲内で種々の変形が可能である。以下、そのような変形例を順を追って説明する。
【００４９】
（１）空気流２８の向きを逆にする場合
上記実施形態では、第１ファンユニット１０のファンを送風ファン１８とし、第２ファンユニット２０のファンを吸引ファン２１として説明してきた。しかし、第１ファンユニット１０及び第２ファンユニット２０が対向して配置された形態において、それぞれの回転軸を本実施の形態で例示した場合とは逆回転させることにより、第１ファンユニット１０から第２ファンユニット２０側に送られる風の方向とは逆方向に風を送ることができるようにしてもよい（第２空気流）。
本変形例においても、上記実施形態と同様の効果を得る。
【００５０】
（２）空気流２８の向きを適宜に選択可能とする場合
すなわち、制御部１７は、両回転軸を選択的に回転させる制御をできるように設定してもよい。例えば、制御部１７は、風を第１ファンユニット１０側から第２ファンユニット２０側に送ることができる第１モードと、風を第２ファンユニット２０側から第１ファンユニット１０側に送ることができる第２モードと、の選択的な切り替えを制御する。例えば、スイッチ１３ｂを長押し、所定時間内での複数回のプッシュ等により、適宜、第１モード及び第２モードを所定の周期にて切り替える制御を行わせることができるように制御部１７を設定してもよい。
【００５１】
本変形例によれば、使用者の用途や好みに合わせ、左右方向一方側から他方側へ向かう第１空気流、及び、左右方向他方側から一方側へ向かう第２空気流、を選択的に生成させて使い分けることができるので、利便性がさらに高まる。
【００５２】
（３）空気流２８を交互に逆向きにする場合
すなわち、制御部１７が、上記第１モード及び上記第２モードを所定周期にて交互に繰り返すようにしてもよい。
本変形例によれば、左右方向一方側から他方側（装着状態において使用者から見て右側から左側）へ向かう第１空気流、及び、左右方向他方側から一方側（装着状態において使用者から見て左側から右側）へ向かう第２空気流、が周期的に交互に生成させるので、空気流２８（空気カーテン）の生成流路において偏らない均一な通風性を確保することができる。また左右方向一方側（装着状態において使用者から見て右側）に飛沫の発生源が生じている場合でも他方側（装着状態において使用者から見て左側）に飛沫の発生源が生じている場合でも、確実にその影響を半減することができる。
【００５３】
（４）両側から送風して顔の前で衝突させる場合等
すなわち、上記実施の形態では、風を２方向に送風し、排風する形態を例示して説明したが、ファンによって装置外に排風しない形態であってもよい。例えば、第１ファンユニット１０及び第２ファンユニット２０が対向して配置された形態において、吸引ファン２１の回転軸２１ａと、送風ファン１８の回転軸１８ｅと、を互いに逆回転させてもよい。
【００５４】
このとき、送風塔１８ｂ及び吸引塔２１ｄの先端部の少なくとも一方が開放方向に配置されるように調整する。これにより、吸引ファン２１が送風ファン１８と同様の機能を発揮し、両ファンにより発生した風が使用者の顔先で衝突し、使用者の顔先方向に空気流を発生させることができる（第３モード；第３空気流）。
【００５５】
本変形例によれば、使用者の顔面の目の前から前方への空気流れ（第３空気流）を生成することができるので、飛沫が使用者の顔面に飛来するのを確実に防止することができる。
【００５６】
なお、上記の逆で、顔面空気カーテン生成装置１において、第２ファンユニット２０から第１ファンユニット１０側に排風し、第１ファンユニット１０から第２ファンユニット２０側に排風するように形成されてもよい。
【００５７】
また、第２ファンユニット２０が吸引機能を発揮している場合に、第１ファンユニット１０も吸引機能を発揮するように設定してもよい。
【００５８】
具体的には、例えば、第１ファンユニット１０及び第２ファンユニット２０が対向して配置された形態において、第１ファンユニット１０のファンの回転方向を、第２ファンユニット２０のファンが吸引機能を発揮しているファンの回転方向とは逆方向に回転させる。これにより、使用者の顔先の空気が両ファンユニットに流れ、使用者の顔先から両ファンユニット１０、２０の方向に向けて、それぞれ空気流２８（第４空気流）を発生させることができる。
【００５９】
（５）フィルターを使用する場合
例えば、図７に示すように、第１ファンユニット１０の送風ファン１８及び第２ファンユニット２０の吸引ファン２１に、図示しないフィルターを装着し、フィルターカバー２３によりフィルターをカバーする。このような構成により、種々のウイルス、花粉、ＰＭ２．５、黄砂等の異物をフィルターによってフィルタリングすることが可能になり、空気を循環・対流させる事による空気カーテン効果だけでなく、空気フィルタリング効果による空気の除菌や、異物による機器の故障等を防止することも可能にし、異物を除去することができるようにしてもよい。なお、フィルターカバー２３を第１及び第２ファンユニット１０、２０に、フィルターを適宜着脱可能に装着させることができるため、フィルターは容易に交換することができる。
【００６０】
（６）ホルダーを設ける場合
また、図８（Ａ）及び（Ｂ）に示すように、顔面空気カーテン生成装置１は、顔面空気カーテン生成装置１を静置可能なホルダー２４をさらに備えていてもよい。
【００６１】
ホルダー２４は、送風ファン１８及び吸引ファン２１の一部をそれぞれ包摂して固定可能な凹部２５と、凹部２５の両突出から面一に延在している凸部２６と、を備えている。
【００６２】
凸部２６の先端から鉛直下向き方向の中央にかけて窪みが形成されており、第１ケーブル部１３及び第２ケーブル部１５、後述する突出部２７のそれぞれが進入可能に設計されている。
【００６３】
また、顔面空気カーテン生成装置１において、互いに対向する送風ファン１８及び吸引ファン２１の中央部又は中央部の近傍には突出部２７が設けられている。このような構成により、例えば不使用時には、突出部２７をホルダー２４に静置し、本機を格納することができるようになる。
【００６４】
＜その他＞
例えば、上記実施形態に係る顔面空気カーテン生成装置１の支持部１６に緩衝機能を有するパット部を設けてもよい。これにより、使用者が顔面空気カーテン生成装置１を装着した場合に、首への負担を軽減させることができる。
【００６５】
また、上記実施形態に係る顔面空気カーテン生成装置１の支持部１６を板状の部材として説明したが、支持機能を奏するのであればこれに限定されない。例えば、支持部１６は緩衝機能を有する素材により形成されていてもよい。この場合も、使用者が顔面空気カーテン生成装置１を装着した場合に、頭部への負担を軽減させることができる。
【００６６】
また、上記実施形態では、板状部材１１を基点にして支持部１６を使用者に首掛けすることができる顔面空気カーテン生成装置１を例示して説明したが、これに限定されない。例えば、顔面空気カーテン生成装置１は、使用者の鼻背部の一部と同一形態を有するフックと、フックの一端部に接続し、環状に形成された第１ケーブル部１３と、第１ケーブル部１３の一部に接続する第１ファンユニット１０と、フックの他端部に接続し、環状に形成された第２ケーブル部１５と、第２ケーブル部１５の一部に接続する第２ファンユニット２０と、を備えて形成されていてもよい。
【００６７】
このような構成により、第１ケーブル部１３及び第２ケーブル部１５を使用者の両耳にそれぞれ掛け、フックを使用者の鼻背部に当接させて係止することができる。
【００６８】
また、第１ファンユニット１０及び第２ファンユニット２０の位置をそれぞれ調整することにより、使用者の鼻先及び／又は口先に適宜空気カーテンを形成することが可能である。
【００６９】
また、上記実施形態では、ファン１８ｃを複数の羽根部１８ｆを設けられたプロペラ状（スクリュー状）の部材として説明してきたが、同様の機能を奏するのであればこれに限られるものではない。例えば、図６に示すように、ファン１８ｃは、シロッコファン２２であってもよい。
【００７０】
また、上記実施形態では、回転軸１８ｅの側面に、６枚のファン１８ｃが６０°回転対称に設けられている形態を例に説明したが、本実施の形態で実現される流体による効果を奏することができるのであれば、ファン１８ｃの枚数は適宜変更可能であり、同様に、ファン１８ｃは回転軸ｅの側面に回転対象に設けられなくともよい。また、回転方向による風量・静圧もほぼ同じにする様にデザインされた羽根を有した回転数のコントロールが容易に可能なファン、例えば市販されている「リバーシブルフローファン」等を使用してもよい。
【００７１】
また、送風孔１８ｄ及び吸引孔２１ｅのサイズ及び数は、本実施の形態における顔面空気カーテン生成装置１の作用を奏することができ、送風塔１８ｂ及び吸引塔２１ｄに複数形成可能であれば特に限定されるものではない。
【００７２】
また、吸引孔２１ｅのそれぞれを覆うように、適宜、吸引塔２１ｄに整流板を設けてもよい。これにより、より効率的に顔先に空気流２８を発生させることができる。
【００７３】
なお、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【００７４】
また、以上既に述べた以外にも、上記実施形態や各変形例による手法を適宜組み合わせて利用しても良い。
【００７５】
その他、一々例示はしないが、本発明は、その趣旨を逸脱しない範囲内において、種々の変更が加えられて実施されるものである。
【符号の説明】
【００７６】
１                顔面空気カーテン生成装置
１０              第１ファンユニット
１１              板状部材
１２              板状部材の一端部
１３              第１ケーブル部
１３ａ            第１可変ジョイント部
１３ｂ            スイッチ
１４              板状部材の他端部
１５              第２ケーブル部
１５ａ            第２可変ジョイント部
１６              支持部
１７              制御部
１８              送風ファン
１８ａ            筐体（第１ケーシング）
１８ｂ            送風塔
１８ｃ            ファン
１８ｄ            送風孔（第１流通口）
１８ｅ            送風ファンの回転軸
１８ｆ            羽根部
１８ｇ            第１駆動モータ
１８ｈ            第１開口部
１８ｉ            第２開口部
１８ｊ            第３開口部
１９              管状部
２０              第２ファンユニット
２１              吸引ファン
２１ａ            吸引ファンの回転軸
２１ｂ            羽根部
２１ｃ            ファン
２１ｄ            吸引塔
２１ｅ            吸引孔（第２流通口）
２１ｆ            筐体（第２ケーシング）
２１ｇ            第２駆動モータ
２１ｈ            第１開口部
２１ｉ            第２開口部
２１ｊ            第３開口部
２２              シロッコファン
２３              フィルターカバー
２４              ホルダー
２５              凹部
２６              凸部
２７              突出部
２８              空気流（空気カーテン）
【要約】
【課題】使用者が簡易に装着可能であり、装着時及び／又は使用時に比較的高い機能性も備え得る、顔面空気カーテン生成装置を提供する。
【解決手段】顔面空気カーテン生成装置１は、使用者の頭部に装着される支持部１６と、支持部１６の一端側に設けられ、支持部１６の頭部への装着状態で使用者から見て左・右方向の一方側に位置して、左・右方向の一方側から左・右方向の他方側へ向かう風を吹き出し可能な第１ファンユニット１０を備える。また、顔面空気カーテン生成装置１は、支持部１６の他端側に設けられ、装着状態で左・右方向の他方側に位置して、左・右方向の一方側からの風を吸込み可能な第２ファンユニット２０を有する。また、顔面空気カーテン生成装置１は、第１ファンユニット１０から第２ファンユニット２０まで左・右方向に流れる空気流により使用者の顔面の前部に空気カーテンを形成する。
【選択図】図１【図１】
0006983352.tif 000002
【図２】
0006983352.tif 000003
【図３】
0006983352.tif 000004
【図４】
0006983352.tif 000005
【図５】
0006983352.tif 000006
【図６】
0006983352.tif 000007
【図７】
0006983352.tif 000008
【図８】
0006983352.tif 000009